(57)【要約】      （修正有）【課題】スポーツブーツの快適性および対応性を向上させる。【解決手段】単一リールの区分された締め紐システム１１０は、アッパー１０４、たとえば、カフまたはベロ部に固定されたリール機構と、各区間毎に別個のケーブル１３０、１４０とを含む。２区間の実施形態では、第１のケーブル１３０はリールに係合し、少なくとも２回細長い開口１０６にわたって延在し、中間地点で複数位置留め具１５０に係合する。第２のケーブル１４０はリールに係合し、同様に少なくとも２ヶ所において細長い開口１０６にわたって延在する。ケーブル１３０、１４０は、リール機構によって張力を掛けられるように構成され、第１のケーブルの有効長さは、２つの区間における相対的張力が調整され得るように、複数位置留め具１５０上の選択された係合位置によって一部決定される。【選択図】図１
2015229111.tif 000002
【特許請求の範囲】
【請求項１】
スポーツブーツ用の単一リールの区分された締め紐システムであって、前記締め紐システムは、アッパーを有し、前記アッパーは、足部分と、カフと、前記アッパーによって規定される細長い開口に配置されたベロ部とを含み、前記締め紐システムは、
前記アッパーに取付けられたリール機構と、
前記アッパーに固定された第１の複数位置留め具と、
第１のケーブルとを備え、前記第１のケーブルは、前記レール機構が前記第１のケーブルの張力を調整するために動作可能となるように前記リール機構に取付けられた近位端と、前記第１の複数位置留め具を複数のユーザにより選択可能な位置の任意の１つに係合させるように構成された中間部分とを有し、前記締め紐システムはさらに、
第２のケーブルを備え、前記第２のケーブルは、前記リール機構が前記第２のケーブルの張力を調整するために動作可能となるように前記リール機構に取付けられた近位端を有し、
前記第１のケーブルは、前記細長い開口の第１の部分にわたって延在し、前記リール機構によって前記第１のケーブルに張力を掛けると、前記細長い開口の前記第１の部分が閉位置に向かって付勢されるように前記アッパーに係合し、
前記第２のケーブルは、前記細長い開口の第２の部分にわたって延在し、前記リール機構によって前記第２のケーブルに張力を掛けると、前記細長い開口の前記第２の部分が前記閉位置に向かって付勢されるように前記アッパーに係合する、締め紐システム。
【請求項２】
前記細長い開口の前記第１の部分は、前記アッパーの前記足部分にあり、前記細長い開口の前記第２の部分は、前記アッパーの前記カフにある、請求項１に記載の単一リールの区分された締め紐システム。
【請求項３】
前記第１のケーブルは、前記リール機構から離れて前記アッパーに留められた遠位端を有する、請求項１に記載の単一リールの区分された締め紐システム。
【請求項４】
前記第１のケーブルは、前記リール機構に取付けられた遠位端を有する、請求項１に記載の単一リールの区分された締め紐システム。
【請求項５】
前記第１の複数位置留め具は、複数の成形ポストを有するラックを含む、請求項１に記載の単一リールの区分された締め紐システム。
【請求項６】
前記第１のケーブルはさらに係合タブを含み、前記係合タブは、前記複数の成形ポストの任意の１つに選択可能に係合するように構成されている、請求項５に記載の単一リールの区分された締め紐システム。
【請求項７】
前記第１の複数位置留め具は、複数の離間された留め具を含む、請求項１に記載の単一リールの区分された締め紐システム。
【請求項８】
前記第１の複数位置留め具の反対側の前記アッパーに固定された第２の複数位置留め具をさらに含む、請求項１に記載の単一リールの区分された締め紐システム。
【請求項９】
前記第１のケーブルは、前記細長い開口の第１の側の前記アッパーに留められた遠位端を有し、前記細長い開口にわたって一回目に延在し、前記細長い開口の第２の側の前記アッパーに固定されたガイドに摺動可能に係合し、前記細長い開口にわたって二回目に延在し、前記細長い開口の前記第１の側の前記複数位置留め部に係合する、請求項１に記載の単一リールの区分された締め紐システム。
【請求項１０】
前記第１のケーブルは、前記リール機構に係合する遠位端を有し、前記細長い開口の第１の側の第１の複数位置留め具に選択的に係合するように前記遠位端から延在し、前記細長い開口にわたって一回目に延在し、前記細長い開口の第２の側の第１のガイドに摺動可能に係合し、前記細長い開口にわたって二回目に延在し、前記細長い開口の前記第１の側の第２のガイドに係合し；前記細長い開口にわたって三回目に延在し、前記細長い開口の前記第２の側の第２の複数位置留め具に係合する、請求項１に記載の単一リールの区分された締め紐システム。
【請求項１１】
前記リール機構は、前記カフに固定されている、請求項１に記載の単一リールの区分された締め紐システム。
【請求項１２】
前記リール機構は、前記ベロ部に固定されている、請求項１に記載の単一リールの区分された締め紐システム。
【請求項１３】
前記ベロ部に固定された複数の靴紐保持部をさらに含む、請求項１に記載の単一リールの区分された締め紐システム。
【請求項１４】
スポーツブーツであって、前記スポーツブーツは、
アッパーに固定されたソールを備え、前記アッパーは、足部分と、カフと、前記アッパーによって規定される細長い開口に沿って配置されたベロ部とを含み、前記スポーツブーツはさらに、
前記アッパーに固定された単一リールの区分された締め紐システムを備え、前記区分された締め紐システムは、
ロックリール機構と、
前記細長い開口の第１の側の前記アッパーに固定された第１の複数位置留め具と、
第１のケーブルとを含み、前記第１のケーブルは、前記ロックリール機構が、前記第１のケーブルを巻取って前記第１のケーブルの動作可能長さを変更するように構成されるように、前記ロックリール機構に巻取り可能に取付けられた第１の部分と、前記第１の複数位置留め具を複数のユーザにより選択可能な位置の任意の１つに係合させるように構成された第２の部分とを有し、前記区分された締め紐システムはさらに、
第２のケーブルを含み、前記第２のケーブルは、前記ロックリール機構が、前記第２のケーブルを巻取って前記第２のケーブルの動作可能長さを変更するように構成されるように、前記ロックリール機構に巻取り可能に取付けられた第１の部分を有し、
前記第１のケーブルは、前記細長い開口の第１の部分にわたって延在し、前記ロックリール機構によって前記第１のケーブルに張力を掛けると、前記細長い開口の前記第１の部分が閉位置に向かって付勢されるように前記アッパーに係合し、
前記第２のケーブルは、前記細長い開口の第２の部分にわたって延在し、前記ロックリール機構によって前記第２のケーブルに張力を掛けると、前記細長い開口の前記第２の部分が前記閉位置に向かって付勢されるように前記アッパーに係合する、スポーツブーツ。
【請求項１５】
前記細長い開口の前記第１の部分は、前記アッパーの前記足部分にある、請求項１４に記載のスポーツブーツ。
【請求項１６】
前記細長い開口の前記第２の部分は、前記アッパーの前記カフにある、請求項１５に記載のスポーツブーツ。
【請求項１７】
前記第１のケーブルは、前記リール機構から離れて前記アッパーに留められた遠位端を有する、請求項１４に記載のスポーツブーツ。
【請求項１８】
前記第１のケーブルは、前記リール機構に取付けられた遠位端を有する、請求項１４に記載のスポーツブーツ。
【請求項１９】
前記第１の複数位置留め具は、複数の成形ポストを有するラックを含む、請求項１４に記載のスポーツブーツ。
【請求項２０】
前記第１の複数位置留め具は、複数の離間された留め具を含む、請求項１４に記載のスポーツブーツ。
【請求項２１】
前記第１の複数位置留め具の反対側の前記アッパーに固定された第２の複数位置留め具をさらに含む、請求項２０に記載のスポーツブーツ。
【発明の詳細な説明】
【技術分野】
【０００１】
発明の詳細な説明
関連出願の相互参照
本出願は、２０１４年６月３日に出願された仮出願第６２／００７，０４７号の利益を主張し、当該出願の開示は本明細書中に参照によって援用される。
【背景技術】
【０００２】
背景
スポーツブーツ、特に、ウインタースポーツ用のブーツの構成は、時とともに進化してきた。スポーツブーツは、設計者が考慮する必要のある数多くの競争目的を有することが多い。軽量、快適さ、対応性、着脱容易性、耐久性、および丈夫さのすべてが優先事項である。スポーツブーツは、典型的には長期間着用され、活発に使用されるため、ブーツが快適であることが求められる。しかしながら、多くの用途、特にスノー／ウインタースポーツ用のブーツにおいては、ブーツがユーザに対応していることも必要であり、たとえばスキー、スノーボードなどの取付けられるスポーツ器具が容易にかつ正確に制御可能となるように構成される必要がある。さらに、スポーツブーツは、典型的には過酷な使用および困難な環境に晒されるため、丈夫にかつこれに耐え得るように構成されることが重要である。
【０００３】
スポーツブーツは、典型的には締め紐またはケーブルシステムによりユーザに固定される。典型的なケーブルシステムは、たとえば、ブーツの細長い開口の両側に取付けられた剛性のケーブル保持部、および任意に、ブーツのベロ部に取付けられたガイドを通して摺動可能に配置されるケーブルを利用している。スプールを有する締付け機構は、たとえば、アッパーのベロ部または足首部分においてブーツに取付けられ、ケーブルは、ケーブルを容易に締付けたり緩めたりできるようにスプールに取付けられる。締付け機構は、ユーザによって容易にアクセス可能なブーツの一部に位置付けられている。たとえば、Hammerslagの米国特許第５，９３４，５９９号には、締付け機構がブーツのアッパーの裏側に外側から配置されたケーブルタイプの締め紐システムが開示されており、当該文献は本明細書中に参照によって援用される。スノースポーツブーツと併用される巻きケーブルタイプの締め紐システムの別の特定の実施形態が、Martin et al.の米国特許第７，３８６，９４７号に開示されており、当該文献は本明細書中に参照によって援用される。しかしながら、このようなシステムは、締付け機構を取付けるために好適な外部表面が必要となる。
【０００４】
ブーツの細長い開口は、典型的にはブーツのつま先端付近から、ユーザの足の甲にわたって、ブーツの長さの大部分に沿って延在し、次いでユーザの足首および脛骨下部に沿って上方に曲がる。したがって、締め紐システムは、ユーザの足にわたってブーツの下部を固定し、締付け、さらに、ユーザの足首にわたってブーツのカフを固定し、締付ける。しかしながら、ユーザは、足にわたる締め紐システムの張力をブーツのカフの張力から独立して調節することを望む場合が多い。このような区分された締付けにより、ユーザは、たとえば、ブーツの下部が不快とならずに、足首上部の周りに非常にぴったりした装着を選択的に与えてボードの調節および対応性を改善し、さらに、ある区分の締付けを調整して、たとえば登りの活動に対応することができるであろう。
【０００５】
別個のリールを有する複数のケーブルシステムを含む独立した締め紐システムが提案されている。Weaver,II et al.の米国特許出願公開第２０１２／００２９４０４号公報には、２つの別個のリールタイプのケーブル締め紐システムを有する足首ブレースが開示されており、第１の締め紐システムは、ユーザの足周りの締まりを調節し、第２の締め紐システムは、ユーザの足首周りの締まりを独立して調節する。しかしながら、このような解決策は嵩張り、高額となり、さらなる故障モードを導入してしまう。
【０００６】
スポーツブーツは、典型的には長期間着用され、ユーザによる激しい使用に晒される。ユーザが長期間継続でき、かつ競争環境下でパフォーマンスを最適化することが同時に可能となるように、ブーツの快適性および対応性を向上させることが重要である。
【先行技術文献】
【特許文献】
【０００７】
【特許文献１】米国特許第５，９３４，５９９号
【特許文献２】米国特許第７，３８６，９４７号
【特許文献３】米国特許出願公開第２０１２／００２９４０４号公報
【発明の概要】
【課題を解決するための手段】
【０００８】
概要
この概要は、詳細な説明において以下にさらに説明される一連の概念を簡略化した形で導入するために設けられる。この概要は、クレームされる主題の重要な特徴を特定することを意図せず、また、クレームされる主題の範囲を決定する助けとして使用されることも意図しない。
【０００９】
単一リールの区分された締め紐システムは、ブーツのアッパーに取付けられたリール機構と、同様にアッパーに固定された第１の複数位置留め具と、リール機構に動作可能に接続された近位端を有する第１のケーブルと、同様にリール機構に動作可能に接続された第２のケーブルとを含む。第１のケーブルは、ブーツアッパーの細長い入口開口の第１の部分にわたって延在し、第１のケーブルの動作可能長さを調整するように、選択可能な位置において複数位置留め具に係合する。第２のケーブルは、細長い開口の第２の部分にわたって延在する。第１および第２のケーブルは、リール機構によってこれらのケーブルに張力が掛けられると、細長い開口の対応する位置が閉位置に向かって付勢されるように構成される。２本のケーブル間の相対的張力は、複数位置留め具上の選択された位置によって調節される。
【００１０】
ある実施形態では、細長い開口の第１の部分は、アッパーの足部分にあり、細長い開口の第２の部分は、アッパーのカフにある。
【００１１】
ある実施形態では、第１のケーブルは、リール機構から離れた箇所においてアッパーに留められた遠位端を有する。
【００１２】
別の実施形態では、第１のケーブルは、リール機構に動作可能に取付けられた遠位端を有する。
【００１３】
ある実施形態では、複数位置留め具は、複数の成形ポストを有するラックを含み、第１のケーブルは、成形ポストの任意の１つに係合するように構成された係合タブをさらに含む。
【００１４】
別の実施形態では、複数位置留め具は、複数の離間された留め具を含む。
ある実施形態では、第２の複数位置留め具は、第１の複数位置留め具の反対側の位置においてアッパーに固定され、第１のケーブルによって選択可能に係合されるように構成されている。
【００１５】
ある実施形態では、第１のケーブルは、細長い開口の第１の側のアッパーに留められた遠位端を有し、細長い開口にわたって一回目に延在し、細長い開口の第２の側のアッパーに固定されたガイドに摺動可能に係合し、細長い開口にわたって二回目に延在し、細長い開口の第１の側の複数位置留め具に係合する。
【００１６】
ある実施形態では、第１のケーブルは、リール機構に係合する遠位端を有し、細長い開口の第１の側の第１の複数位置留め具に選択的に係合するように遠位端から延在し、細長い開口にわたって一回目に延在し、細長い開口の第２の側の第１のガイドに摺動可能に係合し、細長い開口にわたって二回目に延在し、細長い開口の第１の側の第２のガイドに係合し；細長い開口にわたって三回目に延在し、細長い開口の第２の側の第２の複数位置留め具に係合する。
【００１７】
ある実施形態では、リール機構は、アッパーのカフまたはベロ部に固定される。
スポーツブーツは、アッパーを含み、アッパーは、足部分と、カフと、細長い開口と、ベロ部と、アッパーに固定された単一リールの区分された締め紐システムとを有する。区分された締め紐システムは、ロックリール機構と、細長い開口の第１の側のアッパーに固定された第１の複数位置留め具と、第１のケーブルとを含み、第１のケーブルは、ロックリール機構が、第１のケーブルを巻取って第１のケーブルの動作可能長さを変更するように構成されるように、ロックリール機構に巻取り可能に取付けられた第１の部分と、第１の複数位置留め具を複数のユーザにより選択可能な位置の任意の１つにおいて係合させるように構成された第２の部分とを有し、区分された締め紐システムはさらに、第２のケーブルを含み、第２のケーブルは、ロックリール機構が、第２のケーブルを巻取って第２のケーブルの動作可能長さを変更するように構成されるように、ロックリール機構に巻取り可能に取付けられた第１の部分を有する。第１のケーブルは、細長い開口の第１の部分にわたって延在し、ロックリール機構によって第１のケーブルに張力を掛けると、細長い開口の第１の部分が閉位置に向かって付勢されるようにアッパーに係合し、第２のケーブルは、細長い開口の第２の部分にわたって延在し、ロックリール機構によって第２のケーブルに張力を掛けると、細長い開口の第２の部分が閉位置に向かって付勢されるようにアッパーに係合する。
【００１８】
ある実施形態では、細長い開口の第１の部分は、アッパーの足部分にある。
ある実施形態では、細長い開口の第２の部分は、アッパーのカフにある。
【００１９】
ある実施形態では、第１のケーブルは、リール機構から離れてアッパーに留められた遠位端を有する。
【００２０】
別の実施形態では、第１のケーブルは、リール機構に取付けられた遠位端を有する。
ある実施形態では、第１の複数位置留め具は、複数の成形ポストを有するラックを含む。
【００２１】
別の実施形態では、第１の複数位置留め具は、複数の離間された留め具を含む。
ある実施形態では、第２の複数位置留め具は、第１の複数位置留め具の反対側のアッパーに固定されている。
【００２２】
本発明の上記の局面および不随の利点の多くは、添付の図面とともに以下の詳細な説明を参照されると本発明がよりよりよく理解されるため、より容易に認識されるであろう。
【図面の簡単な説明】
【００２３】
【図１】本発明の第１の実施形態に係る単一リールの区分された締付けシステムを有するウインタースポーツブーツの正面左側斜視図である。
【図２】図１に示されるブーツの正面右側斜視図である。
【図３】図１に示されるブーツのための調整可能な二次ラッチアセンブリの一実施形態を示す詳細図である。
【図４】図１に示されるブーツ用の区分された締め紐システムを示す概略図である。
【図５】本発明に係る単一リールの区分された締付けシステムを有するウインタースポーツブーツの第２の実施形態の斜視図である。
【図６】図５に示されるブーツ用の区分された締め紐システムを示す概略図である。
【発明を実施するための形態】
【００２４】
詳細な説明
本発明に係る単一リールの区分された締付けシステム１１０を含むウインタースポーツブーツ１００の正面左側斜視図が図１に示される。ブーツは、アッパー１０４に固定されたソール１０２を含み、アッパー１０４は、ブーツ１００のつま先部分からカフ１０８の上端まで延在する細長い開口１０６を有する。ブーツベロ部１０９は、細長い開口１０６に沿って配置されている。ブーツ１００の正面右側斜視図が図２に示される。
【００２５】
本実施形態では、区分された締付けシステム１１０は、ブーツカフ１０８に取付けられたリール機構１２０（図２）を含み、リール機構１２０は、第１のケーブル１３０に係合し、同様に別個の第２のケーブル１４０にも係合する。複数の任意の靴紐保持部１１２（図中４つが示される）が、ケーブル１３０、１４０を位置付けかつ誘導するために、ベロ部に固定されている。第１のケーブル１３０に係合する端保持部１１３がさらに設けられていてもよい。当該技術分野で周知の靴紐ガイド１０７は、アッパー１０４に一体化されて、ケーブル１３０、１４０の摺動を誘導しかつ容易にする。
【００２６】
第１のケーブル１３０は、アッパー１０４のつま先端付近に固定されたアンカー端１３２を有する。アンカー端１３２は、任意の従来の方法で構成されていればよい。たとえば、第１のケーブル１３０は、アッパー１０４に固定されたガイドを通って延在し、ケーブル１３０がガイドを通って引張られることを防止するために拡大端が設けられていてもよい。代替的には、リベットまたは他の取付具がケーブル１３０の遠位端をアッパー１０４に固定してもよい。たとえば、ワイヤ留め、かすがい留め、はんだ付け、またはそれ以外の被覆端などの他の固定手段が当該技術分野で知られている。
【００２７】
第１のケーブル１３０は、アンカー端１３２から延在し、細長い開口１０６を交差し、細長い開口１０６の下端に沿ってアッパー１０４に固定されたガイド１０７へと端保持部１１３を通過する。第１のケーブル１３０は、カフ１０８に向かって距離を空けて配置されたガイド１０７の他端から出て、細長い開口１０６を再度交差し、ベロ部１０９に固定された靴紐保持部１１２を通過する。第１のケーブルは、任意に、細長い開口を一回以上交差するように構成されていてもよい。第１のケーブル１３０は、別の靴紐ガイド１０７を通って延び、当該靴紐ガイド１０７は、ケーブル１３０をアッパー１０４に固定された留めラック１５０に向けて誘導する。第１のケーブル１３０に取付けられた係合タブ１３４は、以下により詳しく説明する（かつ図３に示される）ように、留めラック１５０を選択可能な位置に係合するように構成される。
【００２８】
次いで、第１のケーブル１３０は、再度細長い開口１０６をわたって延在し、別の保持部１１２を通過し、第１のケーブル１３０をリール機構１２０（図２に最も明らかに見られる）に向かって導くガイド１０７に入る。第１のケーブル１３０はリール機構１２０に係合し、リール機構１２０は、ユーザが第１のケーブル１３０を巻取ることにより、第１のケーブル１３０の有効長さを（したがって、第１のケーブル１３０の張力を）調整することができるように構成される。ユーザは、従来の方法で、第１のケーブル１３０を所望の位置に保持するようにリール機構１２０を選択的にロックする。
【００２９】
第２のケーブル１４０もまたアンカー端１４２を含み、本実施形態では、アンカー端１４２は、細長い開口１０６の右上側付近にあるため、これはカフ１０８に取付けられている。第２のケーブル１４０は、細長い開口１０６をわたって延在し、保持部１１２を通過し、細長い開口１０６の反対側のガイド１０７に入る。第２のケーブル１４０は、ガイド１０７を通って延び、細長い開口１０６にわたって二回目に延在し、別の保持部１１２を通過する。第２のケーブル１４０（およびアッパー）は、第２のケーブル１４０が細長い開口１０６にわたって一回以上延在するように構成されていてもよい。次いで、第２のケーブル１４０は、第２のケーブル１４０をリール機構１２０に向かって誘導するガイド１０７に入る（図２を参照）。第２のケーブル１４０は、リール機構１２０に動作可能に係合する。
【００３０】
したがって、各ケーブル１３０、１４０の一端は、リール機構１２０に動作可能に接続されている。したがって、ケーブル１３０、１４０は、単一リール機構１２０を用いて同時に張力を掛けられてもよい。したがって、第１のケーブル１３０の経路長さは、ラック１５０における係合タブ１３４の選択的な配置によってユーザにより独立して選択可能である。
【００３１】
図３は、アッパー１０４に取付けられたラック１５０を示す、ブーツ１００の部分図である。本実施形態のラック１５０は、ラック１５０をアッパー１０４に取付けるための取付フランジ１５４を含む。ラック１５０は、取付手段の組合せを含む、縫付け、接着剤、リベットなどによって取付けられてもよい。ラック１５０は、複数の離間された成形ポスト１５２（図中３つが示される）を含み、これらは、第１のケーブル１３０に固定された係合タブ１３４を受け、開放可能に保持するように成形され、位置付けられている。３つのポスト１５２が図示されているが、３つ以上または３つ以下のポスト１５２が設けられ得ることも想定される。したがって、ユーザは、単純に係合タブ１３４をつかみ、これを所望のポスト１５２に係合させるように位置付ける。
【００３２】
図４は、区分された締付けシステム１１０を概略的に示す。本実施形態における第１の区間は、アッパー１０４の足部分を固定する。第１の区間は、アンカー端１３２によって保持された第１のケーブル１３０を含み、細長い開口１０６にわたって数回延在する。第１のケーブル１３０は、ラック１５０に係合する係合タブ１３４を含む。第１のケーブル１３０の近位端は、リール機構１２０内に延在する。
【００３３】
本実施形態における第２の区間は、カフ１０８を固定する。第２の区間は、アンカー端１４２によって保持された第２のケーブル１４０を含み、細長い開口１０６にわたって複数回延在する。第２のケーブル１４０の遠位端は、第１のケーブル１３０と同じリール機構１２０に係合する。
【００３４】
リール機構１２０は、両方のケーブル１３０、１４０に作用し、リール機構１２０が同時に両方のケーブルを巻取ることにより、両方のケーブル１３０、１４０に同時に張力を掛けるように構成される。次いで、リール機構１２０は特定の位置にロックされることにより、両方のケーブル１３０を所望の張力または長さに保持する。
【００３５】
リール機構１２０を締付ける前に、ユーザは、係合タブ１３４を複数のポスト１５２の任意の１つに係合させるように位置付ける。第１および第２のケーブル１３０、１４０の相対的張力は、複数のポスト１５２のいずれが係合タブ１３４によって係合されるかに依存することが明らかであろう。たとえば、タブ１３４がラック１５０の最も遠位のポスト１５２に係合する（すなわち、第２のケーブル１３０が比較的長い経路長さを有する）場合、ユーザがリール機構１２０によりケーブル１３０、１４０に張力を掛けると、第１のケーブル１３０の張力は、ユーザがタブ１３４をより近位のポスト１５２に係合させるように位置付ける場合よりも高くなる。したがって、ユーザは、単一リール機構１２０システムを用いて、２つの区間の間の相対的張力を独立して調節することができる。
【００３６】
別の類似の実施形態（図示せず）では、第１または第２のケーブル１３０、１４０の一方の遠位端に係合タブが設けられている。係合タブは、球、円柱、または同様の係合部品を含んでいてもよい。係合タブを受けるように構成された複数の係合部分を有するラックが、係合タブを選択的に受ける位置でアッパーに固定される。この代替的な実施形態では、上記の第１の実施形態１１０に例示されるように、ケーブルをケーブルに沿った中間箇所で固定するのでなく、ユーザが、第１および第２のケーブル１３０、１４０の間の相対的張力を調節するために、係合タブをケーブルの遠位端に選択的に位置付ける。
【００３７】
本発明に係る単一リールの区分された締め紐システム２１０の別の実施形態が図５および図６に示される。図５は、単一リールの区分された締め紐システム２１０を有するウインタースポーツブーツ２００の正面左側斜視図を示す。ブーツ２００は、アッパー２０４に固定されたソール２０２を含む。アッパー２０４は、ブーツ２００のつま先部分からカフ２０８の上端に延在する細長い開口２０６を有する。ベロ部２０９が細長い開口２０６に沿って配置されている。
【００３８】
本実施形態では、区分された締付けシステム２１０は、ベロ部２０９に取付けられたリール機構２２０を含む。リール機構２２０は、第１のケーブル２３０および第２のケーブル２４０を係合する。本実施形態では、以下に述べられるように、ケーブル２３０、２４０の両端がリール機構２２０に係合する。区分された締付けシステム２１０を概略的に図示する図６も参照されたい。
【００３９】
第１のケーブル２３０は、リール機構２２０に取付けられた第１の端２３１を有し、第１の靴紐保持部２１２を通って下方に延在する。ケーブル２３０の第２の部分２３２は、外側に延在し（図５中、左側へ）、アッパー２０４に固定された第１の複数の離間された留め部材２５０の１つに選択的に係合する。留め部材２５０は、外側に向くチャネルを含み、当該チャネルは、第１のケーブル２３０を受け、保持するサイズにされている。たとえば布地タブ２３６などの柔軟性グリップは、第２の部分２３２上に摺動可能に配置され、所望の留め部材２５０上にケーブル２３０を位置付けることを容易にする。
【００４０】
第１のケーブル２３０は、細長い開口２０６にわたって延び、第２の保持部２１３を通過し、さらにアッパー２０４に固定されたガイド２１４を通過する。第１のケーブル２３０の第３の部分２３３は、細長い開口２０６のつま先端付近の箇所で細長い開口２０６にわたって延在し、別のガイド２１４（図６）を通過し、カフ２０８により近い箇所でガイド２１４から出る。第１のケーブル２３０は、再度細長い開口２０６を交差し、第２の保持部２１３を通過する。第２のケーブル２３０の第４の部分２３４は、アッパー２０４の反対側に配置された、離間された留め部材２５０に係合し（図６）、次いで第１の保持部２１２を通過する。第１のケーブル２３０の第２の端２３５は、上方に延在し、リール機構２２０に係合する。
【００４１】
本実施形態の第２のケーブル２４０は、ブーツ２００のカフ２０８を固定するように構成されている。第２のケーブル２４０は、リール機構２２０に係合し、ガイド２１４に係合するように外側に延在する第１の端２４１を含む（図６）。ガイド２１４はアッパー２０４に固定されている。第２のケーブル２４０は、より低い位置でガイド２１４から出て、細長い開口２０６にわたって延在し、第１の保持部２１２を通過する。第２のケーブル２４０は、細長い開口２０６の反対側のガイド２１４を通過する。ケーブル２４０の第２の端２４５は、リール機構２２０に係合する。
【００４２】
したがって、リール機構２２０が回転されケーブル２３０、２４０を締付けると、第１のケーブル２３０の両端、および第２のケーブル２４０の両端２４１、２４５が巻取られ、ケーブル２３０、２４０に張力が掛かる。しかしながら、２本のケーブル間の相対的な張力は、留め部材２５０（各側）のいずれを第１のケーブル２３０の第２の部分２３２および第４の部分２３４と係合させるかを選択することによって、ユーザにより調整可能となる。
【００４３】
したがって、ここに開示される単一リールの区分された締付けシステム１１０、２１０により、ユーザは、単一のリール機構１２０、２２０システムを用いて、ブーツ１００、２００の２つの異なる区間において独立して張力を調節することができる。単一リールシステムは、複数のリールを必要としないため、複数リールシステムと比較して、操作が容易であり、より安価であり、組立が容易であり、より信頼性が高い。
【００４４】
上記の単一リールの区分された締め紐システム１１０、２１０を使用するには、ユーザは単純にブーツ１００、２００を履き、第１のケーブル１３０、２３０を、たとえば留めラック１５０または留め部材２５０などの留め部上の所望の位置に位置付けて、ケーブルをリール機構１２０、２２０により締付ける。２つの区間における相対的な張力は、複数位置留め部１５０、２５０上の選択された位置によって決定され、絶対張力は、リール機構２２０により通常の方法で調整可能である。ユーザが区間における相対的張力を変更したい場合、たとえば、ユーザが異なる活動に切換えようとするとき、ユーザはケーブルの張力を通常の方法で解放し、第１のケーブルを複数位置留め部の周りに位置付け直して、リール機構２２０を用いてケーブルに張力を掛け直す。
【００４５】
現在好ましい実施形態を開示したが、当業者であれば、本発明はさまざまな態様で実施され得ることが明らかであろう。たとえば、留めラックおよび／または留め部材は、たとえば、チャネルおよび摺動機構、スナップまたはフック、バックルなど、部材を異なる位置に選択的に保持するための他の既知の機構を用いて実施されてもよい。
【００４６】
各区間毎に別個のケーブルと、各追加の区間毎に少なくとも１つの複数位置保持部とを用いることにより、単一リールシステムによって３つ以上の区間に異なった張力を掛けてもよいことが想定される。区間は隣接していなくてもよいことが認識されるであろう。たとえば、ケーブルは、第１の区間が細長い開口の中心部分を含み、第２の区間が細長い開口の最上部分および最下部分を含むように構成されていてもよい。
【００４７】
発明の好ましい実施形態を例示し、説明したが、本発明の精神および範囲から逸脱することなくさまざまな変更がなされ得ることが認識されるであろう。
【００４８】
独占的な所有権または特権がクレームされる発明の実施形態は、次のように規定される。
【符号の説明】
【００４９】
１００  ウィンタースポーツブーツ、１０２  ソール、１０４  アッパー、１０６  細長い開口、１０７  靴紐ガイド、１０８  カフ、１０９  ベロ部、１１０  単一リールの区分された締め紐システム、１１２  靴紐保持部、１１３  端保持部、１３０  第１のケーブル、１３２  アンカー端、１３４  係合タブ、１４０  第２のケーブル、１５０  留めラック。
【図１】
2015229111.tif 000003
【図２】
2015229111.tif 000004
【図３】
2015229111.tif 000005
【図４】
2015229111.tif 000006
【図５】
2015229111.tif 000007
【図６】
2015229111.tif 000008
【外国語明細書】
2015229111000001.pdf